(57)【要約】  直接的な端末間無線通信であるＤ２Ｄ通信をサポートする移動通信システムにおいて、前記Ｄ２Ｄ通信における通信相手端末の発見に使用される発見用信号を送信するユーザ端末を収容する基地局は、前記発見用信号の送信電力を指定するための電力制御情報を前記ユーザ端末に送信する制御を行う制御部を有する。
2014034573.tif 000002
【特許請求の範囲】
【請求項１】
直接的な端末間無線通信であるＤ２Ｄ通信をサポートする移動通信システムにおいて、前記Ｄ２Ｄ通信における通信相手端末の発見に使用される発見用信号を送信するユーザ端末を収容する基地局であって、
前記発見用信号の送信電力を指定するための電力制御情報を前記ユーザ端末に送信する制御を行う制御部を有することを特徴とする基地局。
【請求項２】
前記電力制御情報は、前記送信電力の絶対値及び／又は前記送信電力の許容範囲を示す情報を含むことを特徴とする請求項１に記載の基地局。
【請求項３】
前記電力制御情報をブロードキャストで送信する場合に、前記電力制御情報は、セル毎に設定されることを特徴とする請求項１に記載の基地局。
【請求項４】
前記電力制御情報をユニキャストで送信する場合に、前記電力制御情報は、ユーザ端末毎、Ｄ２Ｄグループ毎、又は位置毎に設定されることを特徴とする請求項１に記載の基地局。
【請求項５】
前記電力制御情報をユニキャストで送信する場合に、前記制御部は、前記ユーザ端末の位置若しくは能力、及び／又は、前記基地局と前記ユーザ端末との間の伝搬損失に基づいて、前記ユーザ端末における前記発見用信号の送信電力を決定することを特徴とする請求項１に記載の基地局。
【請求項６】
前記ユーザ端末の能力とは、前記Ｄ２Ｄ通信における通信相手端末の発見のための能力、又は、前記Ｄ２Ｄ通信における無線リソースの割り当ての能力であることを特徴とする請求項５に記載の基地局。
【請求項７】
他の基地局への前記ユーザ端末のハンドオーバを行う場合に、前記制御部は、前記決定した送信電力を前記他の基地局に通知する制御を行うことを特徴とする請求項５に記載の基地局。
【請求項８】
直接的な端末間無線通信であるＤ２Ｄ通信をサポートする移動通信システムにおいて、前記Ｄ２Ｄ通信における通信相手端末の発見に使用される発見用信号を送信するユーザ端末であって、
前記発見用信号の送信電力を決定した後、当該決定した送信電力の適用可否を問い合わせるための問い合わせ情報を基地局に送信する制御を行う制御部を有することを特徴とするユーザ端末。
【請求項９】
前記問い合わせ情報は、前記決定した送信電力を示す情報を含むことを特徴とする請求項８に記載のユーザ端末。
【請求項１０】
前記制御部は、前記ユーザ端末の位置若しくは能力、及び／又は、前記基地局と前記ユーザ端末との間の伝搬損失に基づいて、前記送信電力を決定することを特徴とする請求項８に記載のユーザ端末。
【請求項１１】
前記ユーザ端末の能力とは、前記Ｄ２Ｄ通信における通信相手端末の発見のための能力、又は、前記Ｄ２Ｄ通信における無線リソースの割り当ての能力であることを特徴とする請求項１０に記載のユーザ端末。
【請求項１２】
直接的な端末間無線通信であるＤ２Ｄ通信をサポートする移動通信システムにおいて、前記Ｄ２Ｄ通信における通信相手端末の発見に使用される発見用信号を送信するユーザ端末に備えられるプロセッサであって、
前記発見用信号の送信電力を決定した後、当該決定した送信電力の適用可否を問い合わせるための問い合わせ情報を基地局に送信するための処理を行うことを特徴とするプロセッサ。
【発明の詳細な説明】
【技術分野】
【０００１】
本発明は、Ｄ２Ｄ通信をサポートする移動通信システムにおける基地局、ユーザ端末、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信は、近接する複数のユーザ端末が、移動通信システムに割り当てられた周波数帯域内で直接的な無線通信を行うものである。なお、Ｄ２Ｄ通信は、近傍サービス（Ｐｒｏｘｉｍｉｔｙ  Ｓｅｒｖｉｃｅ）通信と称されることもある。
【先行技術文献】
【非特許文献】
【０００４】
【非特許文献１】３ＧＰＰ技術報告  「ＴＲ  ２２．８０３  Ｖ０．３．０」  ２０１２年５月
【発明の概要】
【０００５】
現状の仕様においては、Ｄ２Ｄ通信を適切に制御するための仕組みが存在しないという問題がある。
【０００６】
そこで、本発明は、Ｄ２Ｄ通信を適切に制御できる基地局、ユーザ端末、及びプロセッサを提供する。
【０００７】
一実施形態によれば、直接的な端末間無線通信であるＤ２Ｄ通信をサポートする移動通信システムにおいて、前記Ｄ２Ｄ通信における通信相手端末の発見に使用される発見用信号を送信するユーザ端末を収容する基地局は、前記発見用信号の送信電力を指定するための電力制御情報を前記ユーザ端末に送信する制御を行う制御部を有する。
【０００８】
一実施形態によれば、直接的な端末間無線通信であるＤ２Ｄ通信をサポートする移動通信システムにおいて、前記Ｄ２Ｄ通信における通信相手端末の発見に使用される発見用信号を送信するユーザ端末は、前記発見用信号の送信電力を決定した後、当該決定した送信電力の適用可否を問い合わせるための問い合わせ情報を基地局に送信する制御を行う制御部を有する。
【０００９】
一実施形態によれば、直接的な端末間無線通信であるＤ２Ｄ通信をサポートする移動通信システムにおいて、前記Ｄ２Ｄ通信における通信相手端末の発見に使用される発見用信号を送信するユーザ端末に備えられるプロセッサは、前記発見用信号の送信電力を決定した後、当該決定した送信電力の適用可否を問い合わせるための問い合わせ情報を基地局に送信するための処理を行う。
【図面の簡単な説明】
【００１０】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、セルラ通信におけるデータパスを示す。
【図７】図７は、Ｄ２Ｄ通信におけるデータパスを示す。
【図８】図８は、Ｄｉｓｃｏｖｅｒｙ信号を説明するための図である。
【図９】図９は、Ｄｉｓｃｏｖｅｒｙ信号の到達範囲を説明するための図である（その１）。
【図１０】図１０は、Ｄｉｓｃｏｖｅｒｙ信号の到達範囲を説明するための図である（その２）。
【図１１】図１１は、第１実施形態に係る動作パターン１のシーケンス図である。
【図１２】図１２は、第１実施形態に係る動作パターン２のシーケンス図である。
【図１３】図１３は、第１実施形態に係る動作パターン３のシーケンス図である。
【図１４】図１４は、第２実施形態に係る動作パターン１のシーケンス図である。
【図１５】図１５は、第２実施形態に係る動作パターン２のシーケンス図である。
【図１６】図１６は、その他の実施形態に係る動作パターンのシーケンス図である。
【発明を実施するための形態】
【００１１】
［実施形態の概要］
第１実施形態に係る基地局は、直接的な端末間無線通信であるＤ２Ｄ通信をサポートする移動通信システムにおいて、前記Ｄ２Ｄ通信における通信相手端末の発見に使用される発見用信号を送信するユーザ端末を収容する。ここで、「通信相手端末の発見」とは、通信相手端末を発見すること（Ｄｉｓｃｏｖｅｒ）に限らず、通信相手端末から発見されること（Ｄｉｓｃｏｖｅｒａｂｌｅ）も含む。また、「ユーザ端末を収容する」とは、ユーザ端末が基地局との接続を確立した状態に限らず、アイドル状態のユーザ端末が基地局を選択した状態も含む。
【００１２】
第１実施形態において、前記基地局は、前記発見用信号の送信電力を指定するための電力制御情報を前記ユーザ端末に送信する制御を行う制御部を有する。これにより、ユーザ端末における発見用信号の送信電力を基地局が指定できるので、ユーザ端末が適切な送信電力で発見用信号を送信できる。したがって、Ｄ２Ｄ通信を適切に制御できる。
【００１３】
第１実施形態において、前記電力制御情報は、前記送信電力の絶対値及び／又は前記送信電力の許容範囲を示す情報を含む。これにより、ユーザ端末は、電力制御情報に従った送信電力で発見用信号を送信すればよいので、当該送信電力を決定するための処理負荷を低減できる。なお、「許容範囲」とは、発見用信号の送信電力の絶対値を基準として定められる上限及び下限（すなわち、相対値）であってもよく、上限及び下限の絶対値であってもよい。
【００１４】
第１実施形態において、前記電力制御情報をブロードキャストで送信する場合に、前記電力制御情報は、セル毎に設定される。これにより、発見用信号の送信電力をセルの特性（周波数帯又はサイズなど）に適応させることができる。なお、「ブロードキャストで送信する場合」とは、例えば、ブロードキャストチャネル上で送信されるシステム情報に、電力制御情報を含める場合を意味する。また、基地局は、上位装置から、セル毎に最適な発見用信号の送信電力の情報を取得してもよい。
【００１５】
第１実施形態において、前記電力制御情報をユニキャストで送信する場合に、前記電力制御情報は、ユーザ端末毎、Ｄ２Ｄグループ毎、又は位置毎に設定される。これにより、発見用信号の送信電力をきめ細かく設定できる。なお、「ユニキャストで送信する場合」とは、例えば、個別チャネル上で送信される制御信号（シグナリング）に電力制御情報を含める場合を意味する。また、前記基地局は、前記電力制御情報をユニキャストでユーザ端末に送信した後に、当該電力制御情報の適用を中止（解除）するよう当該ユーザ端末に指示してもよい。
【００１６】
第１実施形態において、前記電力制御情報をユニキャストで送信する場合に、前記制御部は、前記ユーザ端末の位置若しくは能力、及び／又は、前記基地局と前記ユーザ端末との間の伝搬損失に基づいて、前記ユーザ端末における前記発見用信号の送信電力を決定する。これにより、発見用信号の送信電力をユーザ端末の状況に適応させることができる。なお、ユーザ端末の位置若しくは能力、又は、基地局とユーザ端末との間の伝搬損失は、例えば、基地局がユーザ端末から受信する信号に基づいて判断できる。また、ユーザ端末の能力とは、Ｄ２Ｄ通信における通信相手端末の発見のための能力、又は、Ｄ２Ｄ通信における無線リソースの割り当ての能力であってもよい。
【００１７】
第１実施形態において、他の基地局への前記ユーザ端末のハンドオーバを行う場合に、前記制御部は、前記決定した送信電力を前記他の基地局に通知する制御を行う。これにより、発見用信号の送信電力の設定をハンドオーバ先の基地局に引き継ぐことができる。
【００１８】
さらに、第１実施形態において、電力制御情報のブロードキャスト送信及びユニキャスト送信を併用してもよい。この場合、ユーザ端末は、ユニキャストで送信された電力制御情報を、ブロードキャストで送信された電力制御情報よりも優先して適用してもよい。或いは、ブロードキャストで送信された電力制御情報と、ユニキャストで送信された電力制御情報と、の何れを優先して適用すべきかを、基地局がユーザ端末に対して指定してもよい。
【００１９】
第２実施形態に係るユーザ端末は、直接的な端末間無線通信であるＤ２Ｄ通信をサポートする移動通信システムにおいて、前記Ｄ２Ｄ通信における通信相手端末の発見に使用される発見用信号を送信する。
【００２０】
第２実施形態において、前記ユーザ端末は、前記発見用信号の送信電力を決定した後、当該決定した送信電力の適用可否を問い合わせるための問い合わせ情報を基地局に送信する制御を行う制御部を有する。これにより、ユーザ端末における発見用信号の送信電力を基地局が管理できるので、ユーザ端末が適切な送信電力で発見用信号を送信できる。したがって、Ｄ２Ｄ通信を適切に制御できる。
【００２１】
第２実施形態において、前記問い合わせ情報は、前記決定した送信電力を示す情報を含んでもよい。これにより、基地局は、ユーザ端末で決定した発見用信号の送信電力が許容できるものであるか否かを判断できる。
【００２２】
第２実施形態において、前記制御部は、前記ユーザ端末の位置若しくは能力、及び／又は、前記基地局と前記ユーザ端末との間の伝搬損失に基づいて、前記送信電力を決定する。これにより、発見用信号の送信電力をユーザ端末の状況に適応させることができる。
【００２３】
以下、図面を参照して、３ＧＰＰ規格に準拠して構成されるセルラ移動通信システム（以下、「ＬＴＥシステム」）にＤ２Ｄ通信を導入する場合の各実施形態を説明する。
【００２４】
［第１実施形態］
（ＬＴＥシステム）
図１は、本実施形態に係るＬＴＥシステムの構成図である。
【００２５】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２６】
ＵＥ１００は、移動型の無線通信装置であり、接続を確立したセル（サービングセル）との無線通信を行う。ＵＥ１００はユーザ端末に相当する。
【００２７】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２８】
なお、「セル」は、無線通信エリアの最小単位を示す用語として使用される他に、ＵＥ１００との無線通信を行う機能を示すとしても使用される。
【００２９】
ｅＮＢ２００は、例えば、無線リソース管理（ＲＲＭ）機能と、ユーザデータのルーティング機能と、モビリティ制御及びスケジューリングのための測定制御機能と、を有する。
【００３０】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００３１】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３２】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３３】
ＯＡＭ４００は、オペレータによって管理されるサーバ装置であり、Ｅ−ＵＴＲＡＮ１０の保守及び監視を行う。
【００３４】
次に、ＵＥ１００及びｅＮＢ２００の構成を説明する。
【００３５】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３６】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３７】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３８】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３９】
ＧＮＳＳ受信機１３０は、ＵＥ１００の地理的な位置を示す位置情報を得るために、ＧＮＳＳ信号を受信して、受信した信号をプロセッサ１６０に出力する。
【００４０】
バッテリ１４０は、ＵＥ１００の各ブロックに供給すべき電力を蓄える。
【００４１】
メモリ１５０は、プロセッサ１６０によって実行されるプログラムと、プロセッサ１６０による処理に使用される情報と、を記憶する。
【００４２】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４３】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００４４】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４５】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４６】
メモリ２３０は、プロセッサ２４０によって実行されるプログラムと、プロセッサ２４０による処理に使用される情報と、を記憶する。
【００４７】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。なお、メモリ２３０をプロセッサ２４０と一体化し、このセット（すなわち、チップセット）をプロセッサとしてもよい。
【００４８】
図４は、ＬＴＥシステムにおける無線インターフェイスのプロトコルスタック図である。
【００４９】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５０】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５１】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５２】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５３】
ＰＤＣＰレイヤは、ヘッダ圧縮・伸張、及び暗号化・復号化を行う。
【００５４】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５５】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５６】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００５７】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５８】
ＵＥ１００に割り当てられる無線リソースのうち、周波数リソースはリソースブロックにより特定でき、時間リソースはサブフレーム（又はスロット）により特定できる。
【００５９】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００６０】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。具体的には、ＤＭＲＳは、ノーマルＣＰの場合は各スロットの４シンボル目に配置され、拡張ＣＰの場合は各スロットの３シンボル目に配置される。ＳＲＳは、サブフレームの最終シンボルに配置される。
【００６１】
（Ｄ２Ｄ通信）
次に、ＬＴＥシステムの通常の通信（セルラ通信）とＤ２Ｄ通信とを比較して説明する。
【００６２】
図６は、セルラ通信におけるデータパスを示す。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６３】
図６に示すように、セルラ通信のデータパスはネットワークを経由する。詳細には、ｅＮＢ２００−１、Ｓ−ＧＷ３００、及びｅＮＢ２００−２を経由するデータパスが設定される。
【００６４】
図７は、Ｄ２Ｄ通信におけるデータパスを示す。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。この場合、ＵＥ１００−１及びＵＥ１００−２は、Ｄ２Ｄグループを構成する。
【００６５】
例えば、ＵＥ１００−１及びＵＥ１００−２のうち一方のＵＥ１００が、近傍に存在する他方のＵＥ１００を発見することで、Ｄ２Ｄ通信が開始される。なお、Ｄ２Ｄ通信を開始するために、ＵＥ１００は、自身の近傍に存在する他のＵＥ１００を発見する（Ｄｉｓｃｏｖｅｒ）機能を有する。また、ＵＥ１００は、他のＵＥ１００から発見される(Ｄｉｓｃｏｖｅｒａｂｌｅ)機能を有する。
【００６６】
図７に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。なお、Ｌｏｃａｌｌｙ  Ｒｏｕｔｅｄというモードでは、データパスがＳ−ＧＷ３００を経由せずにｅＮＢ２００を経由する。
【００６７】
ただし、Ｄ２Ｄ通信はＬＴＥシステムの周波数帯域で行われることが想定されており、例えばセルラ通信への干渉を回避するために、ネットワーク（ｅＮＢ２００）の管理下でＤ２Ｄ通信が行われる。Ｄ２Ｄ通信のための無線リソース割り当ての方式としては、主に以下の２つがある。
【００６８】
第１の割り当て方式は、Ｄ２Ｄ通信に使用する無線リソースをＵＥ１００が選択できる方式である。具体的には、ｅＮＢ２００は、Ｄ２Ｄ通信に使用可能な無線リソースである割り当て候補無線リソースを示す情報をＵＥ１００に送信する。ＵＥ１００は、当該割り当て候補無線リソースの中から、Ｄ２Ｄ通信に使用する無線リソースを自律的に選択する。
【００６９】
第２の割り当て方式は、Ｄ２Ｄ通信に使用する無線リソースをｅＮＢ２００が決定する方式である。すなわち、ＵＥ１００は、Ｄ２Ｄ通信に使用する無線リソースの選択権を持たない。具体的には、ｅＮＢ２００は、Ｄ２Ｄ通信のために動的又は準静的に割り当てた無線リソースを示す情報をＵＥ１００に送信する。ＵＥ１００は、当該割り当てられた無線リソースを用いてＤ２Ｄ通信を行う。
【００７０】
（発見用信号）
ＵＥ１００は、Ｄ２Ｄ通信の開始前において、自身の近傍に存在する他のＵＥ１００を発見するためのＤｉｓｃｏｖｅｒｙ信号を送信する。本実施形態においてＤｉｓｃｏｖｅｒｙ信号は、Ｄ２Ｄ通信における通信相手端末の発見に使用される発見用信号に相当する。
【００７１】
図８は、Ｄｉｓｃｏｖｅｒｙ信号を説明するための図である。図８に示すように、自身の近傍に存在するＵＥ１００−２を探索するＵＥ１００−１は、Ｄｉｓｃｏｖｅｒｙ信号を定期的に送信する。ＵＥ１００−２は、Ｄｉｓｃｏｖｅｒｙ信号の受信を定期的に試みる。
【００７２】
ＵＥ１００−２は、ＵＥ１００−１からのＤｉｓｃｏｖｅｒｙ信号を受信すると、Ｄｉｓｃｏｖｅｒｙ信号に対する応答信号をＵＥ１００−１に送信する。ただし、応答信号（Ｄｉｓｃｏｖｅｒｙ応答信号）の送信は必須ではなく、省略してもよい。
【００７３】
そして、ＵＥ１００−１及び／又はＵＥ１００−２は、Ｄ２Ｄ通信を開始するためのＤ２Ｄ通信要求をｅＮＢ２００に送信する。その結果、ｅＮＢ２００の管理下でＤ２Ｄ通信が開始される。或いは、ＵＥ１００−１及び／又はＵＥ１００−２は、Ｄ２Ｄ通信要求に代えてＤｉｓｃｏｖｅｒｙ情報をｅＮＢ２００に報告し、ｅＮＢ２００がＤ２Ｄ通信開始を判断・制御してもよい。
【００７４】
なお、Ｄｉｓｃｏｖｅｒｙ信号は、移動通信システムに割り当てられた周波数帯域内で送信される。Ｄｉｓｃｏｖｅｒｙ信号は、移動通信システムに割り当てられた周波数帯域内で、Ｄ２Ｄ通信に使用可能な無線リソースを用いて送信されてもよい。或いは、Ｄｉｓｃｏｖｅｒｙ用の特定無線リソースを用いて送信されてもよい。
【００７５】
図９及び図１０は、Ｄｉｓｃｏｖｅｒｙ信号の到達範囲を説明するための図である。
【００７６】
図９に示すように、Ｄｉｓｃｏｖｅｒｙ信号の到達範囲（Ｄｉｓｃｏｖｅｒｙ  ｒａｎｇｅ）は、Ｄｉｓｃｏｖｅｒｙ信号の送信電力に応じて定められる。このため、ＵＥ１００が任意の送信電力でＤｉｓｃｏｖｅｒｙ信号を送信すると、Ｄｉｓｃｏｖｅｒｙ  ｒａｎｇｅが不均一となる。その結果、Ｄ２Ｄ通信の確立及び維持が困難になったり、セルラ通信に対して干渉を与えたりする問題がある。
【００７７】
このような問題を解決するためには、適切と考えられるＤｉｓｃｏｖｅｒｙ信号の送信電力を予め全ＵＥ１００に一律に設定することが想定される。しかしながら、このような方法では、ＵＥ１００の状況、又はＵＥ１００の位置するセルの状況などによっては、Ｄｉｓｃｏｖｅｒｙ信号の送信電力を必ずしも適切に設定できるとは限らない。
【００７８】
例えば、図１０に示すように、２ＧＨｚ帯で運用されるセルにおいて２ＧＨｚ帯でＤｉｓｃｏｖｅｒｙ信号を送信するケースと、８００ＭＨｚ帯で運用されるセルにおいて８００ＭＨｚ帯でＤｉｓｃｏｖｅｒｙ信号を送信するケースと、を比較すると、同一の送信電力でＤｉｓｃｏｖｅｒｙ信号を送信しても、８００ＭＨｚ帯の方がＤｉｓｃｏｖｅｒｙ信号は遠くまで到達する。
【００７９】
したがって、Ｄｉｓｃｏｖｅｒｙ信号の送信電力を予め全ＵＥ１００に一律に設定する方法は、Ｄｉｓｃｏｖｅｒｙ  ｒａｎｇｅが不適切となり得るので、Ｄ２Ｄ通信の確立及び維持が困難になったり、セルラ通信に対して干渉を与えたりする可能性がある。
【００８０】
（第１実施形態に係る動作）
本実施形態に係るｅＮＢ２００は、Ｄｉｓｃｏｖｅｒｙ信号の送信電力を指定するための電力制御情報をＵＥ１００に送信する。これにより、ＵＥ１００におけるＤｉｓｃｏｖｅｒｙ信号の送信電力をｅＮＢ２００が指定できるので、ＵＥ１００が適切な送信電力でＤｉｓｃｏｖｅｒｙ信号を送信できる。
【００８１】
以下、本実施形態に係る動作を動作パターン１乃至４の順に説明する。
【００８２】
（１）動作パターン１
図１１は、本実施形態に係る動作パターン１のシーケンス図である。本動作パターンは、ｅＮＢ２００が電力制御情報をブロードキャストで送信するパターンである。
【００８３】
図１１に示すように、ステップＳ１０１において、ＯＡＭ４００は、セル毎に最適なＤｉｓｃｏｖｅｒｙ信号の送信電力の情報をｅＮＢ２００に送信する。セル毎に最適なＤｉｓｃｏｖｅｒｙ信号の送信電力は、セルの周波数帯及びセルのサイズに応じて定められる。ｅＮＢ２００は、ＯＡＭ４００から受信した情報に応じて、自身のセル毎に最適なＤｉｓｃｏｖｅｒｙ信号の送信電力を設定する。
【００８４】
ステップＳ１０２において、ｅＮＢ２００は、ステップＳ１０１での設定に基づいて、Ｄｉｓｃｏｖｅｒｙ信号の電力制御情報をブロードキャストで送信する。例えば、システム情報ブロック（ＳＩＢ）に電力制御情報を含める。システム情報ブロック（ＳＩＢ）に電力制御情報を含めることで、ＵＥ１００−１は、アイドル状態においても電力制御情報を受信できる。
【００８５】
電力制御情報は、Ｄｉｓｃｏｖｅｒｙ信号の送信電力の絶対値及び／又はＤｉｓｃｏｖｅｒｙ信号の送信電力の許容範囲を示す情報を含む。「許容範囲」とは、送信電力の絶対値を基準として定められる上限及び下限（すなわち、相対値）であってもよく、上限及び下限の絶対値であってもよい。
【００８６】
ここでは、電力制御情報がＤｉｓｃｏｖｅｒｙ信号の送信電力の絶対値を含むケースを主として説明する。また、Ｄｉｓｃｏｖｅｒｙ信号の送信電力の絶対値を「Ｄｉｓｃｏｖｅｒｙ送信電力値」と称する。
【００８７】
さらに、電力制御情報は、セル毎に設定される。例えば、セル毎に異なる電力制御情報を送信してもよく、セル毎に異なるＤｉｓｃｏｖｅｒｙ送信電力値を含む電力制御情報を送信してもよい。また、後述する式（１）、式（２）の何れを用いるのかを示す指定（設定）情報を送信してもよい。
【００８８】
ステップＳ１０３において、ＵＥ１００−１は、ｅＮＢ２００からの電力制御情報を受信し、受信した電力制御情報に含まれるＤｉｓｃｏｖｅｒｙ送信電力値（及び許容範囲）を記憶する。電力制御情報が複数のＤｉｓｃｏｖｅｒｙ送信電力値（及び許容範囲）を含む場合、ＵＥ１００−１は、自身を収容するセルに対応するＤｉｓｃｏｖｅｒｙ送信電力値（及び許容範囲）を記憶する。
【００８９】
同様に、ステップＳ１０４において、ＵＥ１００−２は、ｅＮＢ２００からの電力制御情報を受信し、受信した電力制御情報に含まれるＤｉｓｃｏｖｅｒｙ送信電力値（及び許容範囲）を記憶する。
【００９０】
ステップＳ１０５乃至Ｓ１０６において、ＵＥ１００−１は、ステップＳ１０３で記憶したＤｉｓｃｏｖｅｒｙ送信電力値で、Ｄｉｓｃｏｖｅｒｙ信号を定期的に送信する。すなわち、ＵＥ１００−１は、下記式（１）により定められる送信電力でＤｉｓｃｏｖｅｒｙ信号を送信する。
【００９１】
【数１】
2014034573.tif 000003
【００９２】
或いは、ＵＥ１００−１は、自身とｅＮＢ２００との間の伝搬損失（パスロス）、又は自身とＵＥ１００−２との間の伝搬損失が既知であれば、許容範囲内で、ステップＳ１０３で記憶したＤｉｓｃｏｖｅｒｙ送信電力値を伝搬損失に応じて補正して使用してもよい。例えば、ＵＥ１００−１は、ｅＮＢ２００が送信する報知情報及び参照信号を受信し、当該受信した報知情報により示される参照信号の送信電力と当該受信した参照信号の受信電力（ＲＳＲＰ）とから伝搬損失を推定できる。伝搬損失に応じて補正する場合、ＵＥ１００−１は、下記式（２）により定められる送信電力でＤｉｓｃｏｖｅｒｙ信号を送信する。
【００９３】
【数２】
2014034573.tif 000004
【００９４】
このように、伝搬損失が小さいほどＤｉｓｃｏｖｅｒｙ信号の送信電力が小さくなるように補正することで、ｅＮＢ２００、及び他のＵＥに与える干渉を小さくすることができる。これに対し、伝搬損失が大きいほどＤｉｓｃｏｖｅｒｙ信号の送信電力が大きくなるよう補正することで、ｅＮＢ２００に大きな干渉を与えない範囲で、Ｄｉｓｃｏｖｅｒｙ  ｒａｎｇｅを大きくすることができる。
【００９５】
（２）動作パターン２
図１２は、本実施形態に係る動作パターン２のシーケンス図である。本動作パターンは、ｅＮＢ２００が電力制御情報をユニキャストで送信するパターンである。本動作パターンでは、ＵＥ１００−１は接続状態にある。
【００９６】
ステップＳ１０７において、ＵＥ１００−１は、自身の位置を示す位置情報をｅＮＢ２００に通知する。ただし、ＵＥ１００−１は、位置情報に加えて、又は位置情報に代えて、自身の能力を示す能力情報をｅＮＢ２００に通知してもよい。或いは、これらの情報を通知する場合に限らず、Ｄｉｓｃｏｖｅｒｙ信号の送信を開始しようとする旨をｅＮＢ２００に通知してもよい。なお、ＵＥ１００−１の能力とは、例えば、サポートする周波数帯（バンド）、Ｄｉｓｃｏｖｅｒｙ能力もしくはＤｉｓｃｏｖｅｒａｂｌｅ能力、リソーススケジューリング能力である。
【００９７】
ステップＳ１０８において、ｅＮＢ２００は、ＵＥ１００−１からの通知に応じて、Ｄｉｓｃｏｖｅｒｙ送信電力値を決定する。具体的には、ｅＮＢ２００は、ＵＥ１００−１の位置若しくは能力、及び／又は、ｅＮＢ２００とＵＥ１００−１との間の伝搬損失に基づいて、ＵＥ１００−１におけるＤｉｓｃｏｖｅｒｙ信号の送信電力を決定する。
【００９８】
位置又は伝搬損失に基づいてＤｉｓｃｏｖｅｒｙ送信電力値を決定する場合、上記式（２）と同様に、基準となる送信電力値を伝搬損失に応じて補正する方法が適用できる。ここで、ＵＥ１００−１からの通知の送信電力が既知であれば、当該送信電力と当該通知の受信電力との差分から伝搬損失を推定できる。或いは、ＵＥ１００−１が送信するＳＲＳ又はＤＭＲＳに基づいて伝搬損失を推定してもよい。また、ＵＥ１００−１の位置から、ＵＥ１００−１とｅＮＢ２００との間の距離を求め、当該距離から伝搬損失を推定できる。
【００９９】
また、ＵＥ１００−１の能力に基づいてＤｉｓｃｏｖｅｒｙ送信電力値を決定する場合、以下の第１〜第３の方法が適用できる。
【０１００】
ステップＳ１０９において、ｅＮＢ２００は、ステップＳ１０８で決定したＤｉｓｃｏｖｅｒｙ送信電力値を含む電力制御情報をユニキャストでＵＥ１００−１に送信する。例えば、ＲＲＣメッセージ又は下りリンク制御情報（ＤＣＩ）に電力制御情報を含めてＵＥ１００−１に送信する。また、上記式（１）、式（２）の何れを用いるのかを示す指定（設定）情報を送信してもよい。
【０１０１】
電力制御情報は、Ｄｉｓｃｏｖｅｒｙ信号の送信電力の絶対値（Ｄｉｓｃｏｖｅｒｙ送信電力値）、及び／又はＤｉｓｃｏｖｅｒｙ信号の送信電力の許容範囲を示す情報を含む。「許容範囲」とは、送信電力の絶対値を基準として定められる上限及び下限（すなわち、相対値）であってもよく、上限及び下限の絶対値であってもよい。
【０１０２】
ここでは、電力制御情報がＤｉｓｃｏｖｅｒｙ信号の送信電力の絶対値を含むケースを主として説明する。
【０１０３】
或いは、電力制御情報を位置毎に設定してもよい。この場合、ｅＮＢ２００は、ＵＥ１００−１に送信する電力制御情報を、ＵＥ１００−１の周辺に位置する他のＵＥにさらに送信する。
【０１０４】
ステップＳ１１０において、ＵＥ１００−１は、ｅＮＢ２００からの電力制御情報を受信し、受信した電力制御情報に含まれるＤｉｓｃｏｖｅｒｙ送信電力値（及び許容範囲）を記憶する。
【０１０５】
ステップＳ１１１乃至Ｓ１１３において、ＵＥ１００−１は、ステップＳ１１０で記憶したＤｉｓｃｏｖｅｒｙ送信電力値（及び許容範囲）に応じて、上記式（１）又は式（２）で算出される送信電力でＤｉｓｃｏｖｅｒｙ信号を定期的に送信する。
【０１０６】
なお、他のｅＮＢへのＵＥ１００−１のハンドオーバを行う場合には、ｅＮＢ２００は、ステップＳ１０８で決定したＤｉｓｃｏｖｅｒｙ送信電力値をＸ２インターフェイス又はＳ１インターフェイス上で当該他のｅＮＢに通知することが好ましい。例えば、Ｘ２インターフェイス又はＳ１インターフェイス上で当該他のｅＮＢに送信するハンドオーバ要求にＤｉｓｃｏｖｅｒｙ送信電力値を含めることで、Ｄｉｓｃｏｖｅｒｙ信号の送信電力の設定を当該他のｅＮＢに引き継ぐことができる。
【０１０７】
（３）動作パターン３
図１３は、本実施形態に係る動作パターン３のシーケンス図である。本動作パターンは、ｅＮＢ２００が電力制御情報のブロードキャスト送信及びユニキャスト送信を併用するパターンである。本動作パターンでは、ユニキャストで送信された電力制御情報は、ブロードキャストで送信された電力制御情報よりも優先して適用される。
【０１０８】
図１３に示すように、ステップＳ１０１乃至Ｓ１０６は、上述した動作パターン１と同様である。
【０１０９】
ステップＳ１０７乃至Ｓ１１３は、上述した動作パターン２と同様である。このように、ＵＥ１００−１は、ブロードキャストで送信されたＤｉｓｃｏｖｅｒｙ送信電力値Ａ（及び許容範囲）を受信及び記憶していても、ユニキャストで送信されたＤｉｓｃｏｖｅｒｙ送信電力値Ｂ（及び許容範囲）を受信及び記憶した場合には、Ｄｉｓｃｏｖｅｒｙ送信電力値Ｂ（及び許容範囲）を適用する。これは、ユニキャストで送信されたＤｉｓｃｏｖｅｒｙ送信電力値Ｂ（及び許容範囲）の方が、ブロードキャストで送信されたＤｉｓｃｏｖｅｒｙ送信電力値Ａ（及び許容範囲）よりも高精度だからである。
【０１１０】
ステップＳ１１４において、ＵＥ１００−１は、自身の位置を示す位置情報をｅＮＢ２００に通知する。ただし、ＵＥ１００−１は、位置情報に加えて、又は位置情報に代えて、自身の能力を示す能力情報をｅＮＢ２００に通知してもよい。或いは、これらの情報を通知する場合に限らず、Ｄｉｓｃｏｖｅｒｙ信号の送信を開始しようとする旨をｅＮＢ２００に通知してもよい。
【０１１１】
ステップＳ１１５において、ｅＮＢ２００は、ＵＥ１００−１からの通知に応じて、ステップＳ１０８で決定したＤｉｓｃｏｖｅｒｙ送信電力値Ｂ（すなわち、Ｄｉｓｃｏｖｅｒｙ送信電力個別設定）を解除するか否かを判断する。例えば、以下の場合には、Ｄｉｓｃｏｖｅｒｙ送信電力個別設定を解除すると判断する。
・ＵＥ位置が変化した為、ユニキャスト設定の範囲を超えた。
・ＵＥ能力（例えばＤｉｓｃｏｖｅｒａｂｌｅ能力）が変化した為、ユニキャスト設定の必要が無くなった（ブロードキャスト設定でよくなった）。
・自セル内のＵＥ数（Ｄ２Ｄ通信、セルラ通信含む）、トラフィックなどにより、ユニキャスト設定の必要が無くなった（ブロードキャスト設定でよくなった）。
【０１１２】
ここでは、ｅＮＢ２００がＤｉｓｃｏｖｅｒｙ送信電力個別設定を解除すると判断したと仮定して説明を進める。
【０１１３】
ステップＳ１１６において、ｅＮＢ２００は、Ｄｉｓｃｏｖｅｒｙ送信電力個別設定の解除をＵＥ１００−１に通知する。ＵＥ１００−１は、当該通知を受信すると、ステップＳ１１０で記憶したＤｉｓｃｏｖｅｒｙ送信電力値Ｂ（及び許容範囲）の適用を中止する。なお、ユニキャストで解除通知する場合に限らず、ブロードキャストで自セル内の全ＵＥの個別設定を解除してもよい。
【０１１４】
ステップＳ１１７乃至Ｓ１１８において、ＵＥ１００−１は、ステップＳ１０３で記憶したＤｉｓｃｏｖｅｒｙ送信電力値（及び許容範囲）に応じて、上記式（１）又は式（２）で算出される送信電力でＤｉｓｃｏｖｅｒｙ信号を定期的に送信する。
【０１１５】
（４）動作パターン４
本動作パターンは、ｅＮＢ２００が電力制御情報のブロードキャスト送信及びユニキャスト送信を併用するパターンである点で、動作パターン３と共通する。
【０１１６】
ただし、本動作パターンは、ブロードキャストで送信された電力制御情報と、ユニキャストで送信された電力制御情報と、をＵＥ１００−１が受信した場合に、何れか一方の電力制御情報をＵＥ１００−１が選択できる点で、動作パターン３とは異なる。
【０１１７】
具体的には、ｅＮＢ２００は、ブロードキャストで送信された電力制御情報と、ユニキャストで送信された電力制御情報と、の何れを優先して適用すべきかを、ＵＥ１００−１に対して指示する。ＵＥ１００−１は、ｅＮＢ２００からの指示に従い、何れか一方の電力制御情報を選択して適用する。
【０１１８】
（第１実施形態のまとめ）
本実施形態に係るｅＮＢ２００は、Ｄｉｓｃｏｖｅｒｙ信号の送信電力を指定するための電力制御情報をＵＥ１００に送信する。これにより、ＵＥ１００におけるＤｉｓｃｏｖｅｒｙ信号の送信電力をｅＮＢ２００が指定できるので、ＵＥ１００が適切な送信電力でＤｉｓｃｏｖｅｒｙ信号を送信できる。
【０１１９】
本実施形態では、電力制御情報は、送信電力の絶対値及び／又は送信電力の許容範囲を示す情報を含む。これにより、ＵＥ１００は、電力制御情報に従った送信電力でＤｉｓｃｏｖｅｒｙ信号を送信すればよいので、送信電力を決定するための処理負荷を低減できる。
【０１２０】
本実施形態では、電力制御情報をブロードキャストで送信する場合に、電力制御情報はセル毎に設定される。これにより、Ｄｉｓｃｏｖｅｒｙ信号の送信電力をセルの特性（周波数帯又はサイズなど）に適応させることができる。
【０１２１】
本実施形態では、電力制御情報をユニキャストで送信する場合に、電力制御情報は、ＵＥ１００毎、Ｄ２Ｄグループ毎、又は位置毎に設定される。これにより、Ｄｉｓｃｏｖｅｒｙ信号の送信電力をきめ細かく設定できる。
【０１２２】
本実施形態では、電力制御情報をユニキャストで送信する場合に、ｅＮＢ２００は、ＵＥ１００の位置若しくは能力、及び／又は、ｅＮＢ２００とＵＥ１００との間の伝搬損失に基づいて、ＵＥ１００におけるＤｉｓｃｏｖｅｒｙ信号の送信電力を決定する。これにより、Ｄｉｓｃｏｖｅｒｙ信号の送信電力をＵＥ１００の状況に適応させることができる。
【０１２３】
本実施形態では、他のｅＮＢへのＵＥ１００のハンドオーバを行う場合に、ｅＮＢ２００は、決定した送信電力を当該他のｅＮＢに通知する。これにより、Ｄｉｓｃｏｖｅｒｙ信号の送信電力の設定をハンドオーバ先のｅＮＢに引き継ぐことができる。
【０１２４】
［第２実施形態］
以下、第２実施形態について、第１実施形態との相違点を主として説明する。
【０１２５】
（第２実施形態に係る動作）
本実施形態に係るＵＥ１００は、Ｄｉｓｃｏｖｅｒｙ信号の送信電力を決定した後、当該決定した送信電力の適用可否を問い合わせるための問い合わせ情報をｅＮＢ２００に送信する。
【０１２６】
以下、本実施形態に係る動作を動作パターン１乃至２の順に説明する。
【０１２７】
（１）動作パターン１
図１４は、本実施形態に係る動作パターン１のシーケンス図である。
【０１２８】
図１４に示すように、ステップＳ２０１において、ＯＡＭ４００は、Ｄｉｓｃｏｖｅｒｙ信号の送信電力の閾値（以下、「Ｄｉｓｃｏｖｅｒｙ送信電力閾値」と称する）の情報をｅＮＢ２００に送信する。Ｄｉｓｃｏｖｅｒｙ送信電力閾値は、ｅＮＢ２００の設置環境に応じて定められる。例えば、ｅＮＢ２００に隣接してピコｅＮＢ（ＰｅＮＢ）又はホームｅＮＢ（ＨｅＮＢ）が設置されるＨｅｔＮｅｔ環境であれば、ＰｅＮＢ又はＨｅＮＢへの干渉を低減するように、Ｄｉｓｃｏｖｅｒｙ送信電力閾値を通常よりも低くすることが好ましい。
【０１２９】
ステップＳ２０２において、ｅＮＢ２００は、ＯＡＭ４００から受信した情報に応じて、Ｄｉｓｃｏｖｅｒｙ送信電力閾値を記憶（設定）する。
【０１３０】
ステップＳ２０３において、ＵＥ１００−１は、Ｄｉｓｃｏｖｅｒｙ送信電力値を決定（算出）する。例えば、ＵＥ１００−１は、第１実施形態と同様に、ＵＥ１００の位置若しくは能力、及び／又は、ｅＮＢ２００とＵＥ１００との間の伝搬損失に基づいて、Ｄｉｓｃｏｖｅｒｙ送信電力値を決定する。
【０１３１】
或いは、ＳＲＳ送信電力の算出式を流用してＤｉｓｃｏｖｅｒｙ送信電力値を決定してもよい。この場合、ＵＥ１００−１は、下記式（３）によりＤｉｓｃｏｖｅｒｙ送信電力値を決定する。
【０１３２】
【数３】
2014034573.tif 000005
【０１３３】
なお、Ｄｉｓｃｏｖｅｒｙ送信電力用のオフセット値の情報は、ｅＮＢ２００からＵＥ１００−１に予め送信される。
【０１３４】
ステップＳ２０４において、ＵＥ１００−１は、ステップＳ２０３で決定したＤｉｓｃｏｖｅｒｙ送信電力値の適用可否を問い合わせるための問い合わせ情報をｅＮＢ２００に送信する。問い合わせ情報は、ＵＥ１００が決定したＤｉｓｃｏｖｅｒｙ送信電力値を示す情報を含む。
【０１３５】
ステップＳ２０５において、ｅＮＢ２００は、ステップＳ２０４でＵＥ１００から受信した問い合わせ情報が示すＤｉｓｃｏｖｅｒｙ送信電力値が、ステップＳ２０２で記憶したＤｉｓｃｏｖｅｒｙ送信電力閾値以下であるか否かを判定する。
【０１３６】
ステップＳ２０５の判定結果が“Ｙｅｓ”である場合、ステップＳ２０６において、ｅＮＢ２００は、ＵＥ１００が決定したＤｉｓｃｏｖｅｒｙ送信電力値を許可する旨をＵＥ１００−１に通知する。
【０１３７】
これに対し、ステップＳ２０５の判定結果が“Ｎｏ”である場合、ステップＳ２０７において、ｅＮＢ２００は、ＵＥ１００が決定したＤｉｓｃｏｖｅｒｙ送信電力値を拒否する旨をＵＥ１００−１に通知する。
【０１３８】
（２）動作パターン２
図１５は、本実施形態に係る動作パターン２のシーケンス図である。ここでは、本実施形態に係る動作パターン１との相違点を主として説明する。本動作パターンは、隣接ｅＮＢとのネゴシエーションによりＤｉｓｃｏｖｅｒｙ送信電力閾値を決定する点で動作パターン１とは異なる。
【０１３９】
図１５に示すように、ステップＳ２１１において、ｅＮＢ２００−１は、自身に隣接するｅＮＢ２００−２に対して、Ｄｉｓｃｏｖｅｒｙ送信電力閾値の適用可否をＸ２インターフェイス又はＳ１インターフェイス上で問い合わせる。例えば、ここでのＤｉｓｃｏｖｅｒｙ送信電力閾値（初期値）は、マクロｅＮＢ向けのプリセット値である。
【０１４０】
ステップＳ２１２において、ｅＮＢ２００−２は、ステップＳ２１１でｅＮＢ２００−１から通知されたＤｉｓｃｏｖｅｒｙ送信電力閾値を許可するか否かを判断する。例えば、ｅＮＢ２００−２がピコｅＮＢである場合、ｅＮＢ２００−２は、ｅＮＢ２００−１から通知されたＤｉｓｃｏｖｅｒｙ送信電力閾値を拒否すると判断する。ここでは、ｅＮＢ２００−２が当該Ｄｉｓｃｏｖｅｒｙ送信電力閾値を許可すると判断したと仮定して説明を進める。ｅＮＢ２００−２は、Ｄｉｓｃｏｖｅｒｙ送信電力閾値を許可する旨をＸ２インターフェイス又はＳ１インターフェイス上でｅＮＢ２００−１に通知する。
【０１４１】
ステップＳ２０２において、ｅＮＢ２００−１は、ｅＮＢ２００−２によりＤｉｓｃｏｖｅｒｙ送信電力閾値が許可されたことに応じて、Ｄｉｓｃｏｖｅｒｙ送信電力閾値を記憶（設定）する。なお、以降の動作は、本実施形態に係る動作パターン１と同様である。
【０１４２】
なお、ｅＮＢ２００−２が当該Ｄｉｓｃｏｖｅｒｙ送信電力閾値を拒否すると判断した場合には、ｅＮＢ２００−１は、何らかの算出式もしくはプリセット値もしくは上位装置から設定されたＰｅＮＢ用設定で再度問い合わせる。これにより、自律的にＤｉｓｃｏｖｅｒｙ送信電力閾値を設定できる。
【０１４３】
（第２実施形態のまとめ）
本実施形態に係るＵＥ１００は、Ｄｉｓｃｏｖｅｒｙ信号の送信電力を決定した後、当該決定した送信電力の適用可否を問い合わせるための問い合わせ情報をｅＮＢ２００に送信する。これにより、ＵＥ１００におけるＤｉｓｃｏｖｅｒｙ信号の送信電力をｅＮＢ２００が管理できるので、ＵＥ１００が適切な送信電力でＤｉｓｃｏｖｅｒｙ信号を送信できる。
【０１４４】
本実施形態では、問い合わせ情報は、ＵＥ１００が決定したＤｉｓｃｏｖｅｒｙ信号の送信電力を示す情報を含む。これにより、ｅＮＢ２００は、ＵＥ１００で決定したＤｉｓｃｏｖｅｒｙ信号の送信電力が許容できるものであるか否かを判断できる。
【０１４５】
本実施形態では、ＵＥ１００は、ＵＥ１００の位置若しくは能力、及び／又は、ｅＮＢ２００とＵＥ１００との間の伝搬損失に基づいて、Ｄｉｓｃｏｖｅｒｙ信号の送信電力を決定する。これにより、Ｄｉｓｃｏｖｅｒｙ信号の送信電力をＵＥ１００の状況に適応させることができる。
【０１４６】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１４７】
例えば、第１実施形態（基地局主導）と第２実施形態（端末主導）とを組み合わせて実施してもよい。図１６は、その他の実施形態に係る動作パターンのシーケンス図である。ここでは、第１実施形態及び第２実施形態との相違点を主として説明する。
【０１４８】
図１６に示すように、ステップＳ３０１において、ＯＡＭ４００は、Ｄｉｓｃｏｖｅｒｙ信号の送信電力の情報をｅＮＢ２００に送信する。
【０１４９】
ステップＳ３０２において、ｅＮＢ２００は、ステップＳ３０１での設定に基づいて、Ｄｉｓｃｏｖｅｒｙ信号の電力制御情報をブロードキャストで送信する。
【０１５０】
ステップＳ３０３において、ＵＥ１００−１は、ｅＮＢ２００からの電力制御情報を受信し、受信した電力制御情報に含まれるＤｉｓｃｏｖｅｒｙ送信電力値を記憶する。
【０１５１】
同様に、ステップＳ３０４において、ＵＥ１００−２は、ｅＮＢ２００からの電力制御情報を受信し、受信した電力制御情報に含まれるＤｉｓｃｏｖｅｒｙ送信電力値を記憶する。
【０１５２】
ステップＳ３０５乃至Ｓ３０６において、ＵＥ１００−１は、ステップＳ３０３で記憶したＤｉｓｃｏｖｅｒｙ送信電力値で、すなわち、上記式（１）により定められる送信電力で、Ｄｉｓｃｏｖｅｒｙ信号を定期的に送信する。
【０１５３】
ステップＳ３０７において、ｅＮＢ２００は、参照信号（ＣＲＳ）を送信する。
【０１５４】
ステップＳ３０８において、ＵＥ１００−１は、ｅＮＢ２００からの参照信号（ＣＲＳ）に基づいて、自身の位置、又はｅＮＢ２００との間の伝搬損失を推定する。
【０１５５】
ステップＳ３０９において、ＵＥ１００−１は、ステップＳ３０８で推定した位置又は伝搬損失に応じて、上記式（２）によりＤｉｓｃｏｖｅｒｙ送信電力値を算出する。
【０１５６】
ステップＳ３１０において、ＵＥ１００−１は、ステップＳ３０９で決定（算出）したＤｉｓｃｏｖｅｒｙ送信電力値の適用可否を問い合わせるための問い合わせ情報をｅＮＢ２００に送信する。問い合わせ情報は、ＵＥ１００が決定したＤｉｓｃｏｖｅｒｙ送信電力値を示す情報を含む。
【０１５７】
ステップＳ３１１において、ｅＮＢ２００は、ステップＳ３１０でＵＥ１００−１から通知されたＤｉｓｃｏｖｅｒｙ送信電力値を許可するか否かを判断する。ここでは、ｅＮＢ２００が当該Ｄｉｓｃｏｖｅｒｙ送信電力値を許可すると判断したと仮定して説明を進める。
【０１５８】
ステップＳ３１２において、ｅＮＢ２００は、Ｄｉｓｃｏｖｅｒｙ送信電力値を許可する旨をＵＥ１００−１に通知する。
【０１５９】
ステップＳ３１３乃至Ｓ３１５において、ＵＥ１００−１は、ステップＳ３０９で決定したＤｉｓｃｏｖｅｒｙ送信電力値で、Ｄｉｓｃｏｖｅｒｙ信号を定期的に送信する。
【０１６０】
ステップＳ３１６において、ｅＮＢ２００は、ステップＳ３１２で許可したＤｉｓｃｏｖｅｒｙ送信電力値Ｂ（すなわち、Ｄｉｓｃｏｖｅｒｙ送信電力個別設定）を解除するか否かを判断する。例えば、自セル内のＵＥ数（Ｄ２Ｄ通信、セルラ通信含む）が減少した事により、ユニキャスト設定（きめ細かい設定）の必要が無くなったと判断した場合には、Ｄｉｓｃｏｖｅｒｙ送信電力個別設定を解除すると判断する。ここでは、ｅＮＢ２００がＤｉｓｃｏｖｅｒｙ送信電力個別設定を解除すると判断したと仮定して説明を進める。
【０１６１】
ステップＳ３１７において、ｅＮＢ２００は、Ｄｉｓｃｏｖｅｒｙ送信電力個別設定の解除をＵＥ１００−１に通知する。なお、ユニキャストで解除通知する場合に限らず、ブロードキャストで自セル内の全ＵＥの個別設定を解除してもよい。ＵＥ１００−１は、当該通知を受信すると、ステップＳ３０９で決定したＤｉｓｃｏｖｅｒｙ送信電力値Ｂの適用を中止する。
【０１６２】
ステップＳ３１８乃至Ｓ３１９において、ＵＥ１００−１は、ステップＳ３０３で記憶したＤｉｓｃｏｖｅｒｙ送信電力値でＤｉｓｃｏｖｅｒｙ信号を定期的に送信する。
【０１６３】
なお、上述した実施形態では、本発明をＬＴＥシステムに適用する一例を説明したが、ＬＴＥシステムに限定されるものではなく、ＬＴＥシステム以外のシステムに本発明を適用してもよい。
【０１６４】
なお、米国仮出願第６１／６９４０５２号（２０１２年８月２８日出願）の全内容が、参照により、本願明細書に組み込まれている。
【産業上の利用可能性】
【０１６５】
以上のように、本発明に係る基地局、ユーザ端末及びプロセッサは、Ｄ２Ｄ通信を適切に制御できるため、移動通信分野において有用である。
【図１】
2014034573.tif 000006
【図２】
2014034573.tif 000007
【図３】
2014034573.tif 000008
【図４】
2014034573.tif 000009
【図５】
2014034573.tif 000010
【図６】
2014034573.tif 000011
【図７】
2014034573.tif 000012
【図８】
2014034573.tif 000013
【図９】
2014034573.tif 000014
【図１０】
2014034573.tif 000015
【図１１】
2014034573.tif 000016
【図１２】
2014034573.tif 000017
【図１３】
2014034573.tif 000018
【図１４】
2014034573.tif 000019
【図１５】
2014034573.tif 000020
【図１６】
2014034573.tif 000021
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
近傍サービスをサポートする移動通信システムにおいて、自端末の近傍にいる他のユーザ端末の発見に使用される発見用信号を送信するユーザ端末を収容する基地局であって、
前記発見用信号の送信電力を指定するための電力設定情報を前記ユーザ端末に送信し、
他の基地局への前記ユーザ端末のハンドオーバを行う場合に、前記電力設定情報を前記他の基地局に通知することを特徴とする基地局。
【請求項２】
近傍サービスをサポートする移動通信システムにおいて、自端末の近傍にいる他のユーザ端末の発見に使用される発見用信号を送信するユーザ端末を収容する基地局を制御するプロセッサであって、
前記発見用信号の送信電力を指定するための電力設定情報を前記ユーザ端末に送信し、
他の基地局への前記ユーザ端末のハンドオーバを行う場合に、前記電力設定情報を前記他の基地局に通知するよう前記基地局を制御することを特徴とするプロセッサ。
【請求項３】
近傍サービスをサポートする移動通信システムにおいて、自端末の近傍にいる他のユーザ端末の発見に使用される発見用信号を送信するユーザ端末であって、
前記発見用信号の送信電力を決定した後、当該決定した送信電力の適用可否を問い合わせるための問い合わせ情報を基地局に送信することを特徴とするユーザ端末。
【請求項４】
前記問い合わせ情報は、前記決定した送信電力を示す情報を含むことを特徴とする請求項３に記載のユーザ端末。
【請求項５】
前記ユーザ端末の位置若しくは能力、及び／又は、前記基地局と前記ユーザ端末との間の伝搬損失に基づいて、前記送信電力を決定することを特徴とする請求項３又は４に記載のユーザ端末。
【請求項６】
前記ユーザ端末の能力とは、前記Ｄ２Ｄ通信における通信相手端末の発見のための能力、又は、前記Ｄ２Ｄ通信における無線リソースの割り当ての能力であることを特徴とする請求項５に記載のユーザ端末。
【請求項７】
近傍サービスをサポートする移動通信システムにおいて、自端末の近傍にいる他のユーザ端末の発見に使用される発見用信号を送信するユーザ端末を制御するプロセッサであって、
前記発見用信号の送信電力を決定した後、当該決定した送信電力の適用可否を問い合わせるための問い合わせ情報を基地局に送信するための処理を行うことを特徴とするプロセッサ。
【手続補正２】
【補正対象書類名】明細書
【補正対象項目名】０００７
【補正方法】変更
【補正の内容】
【０００７】
一実施形態によれば、近傍サービスをサポートする移動通信システムにおいて、自端末の近傍にいる他のユーザ端末の発見に使用される発見用信号を送信するユーザ端末を収容する基地局は、前記発見用信号の送信電力を指定するための電力設定情報を前記ユーザ端末に送信する。前記基地局は、他の基地局への前記ユーザ端末のハンドオーバを行う場合に、前記電力設定情報を前記他の基地局に通知する。
【手続補正３】
【補正対象書類名】明細書
【補正対象項目名】０００８
【補正方法】変更
【補正の内容】
【０００８】
一実施形態によれば、近傍サービスをサポートする移動通信システムにおいて、自端末の近傍にいる他のユーザ端末の発見に使用される発見用信号を送信するユーザ端末は、前記発見用信号の送信電力を決定した後、当該決定した送信電力の適用可否を問い合わせるための問い合わせ情報を基地局に送信する。
【手続補正４】
【補正対象書類名】明細書
【補正対象項目名】０００９
【補正方法】変更
【補正の内容】
【０００９】
一実施形態によれば、近傍サービスをサポートする移動通信システムにおいて、自端末の近傍にいる他のユーザ端末の発見に使用される発見用信号を送信するユーザ端末を制御するプロセッサは、前記発見用信号の送信電力を決定した後、当該決定した送信電力の適用可否を問い合わせるための問い合わせ情報を基地局に送信するための処理を行う。
【国際調査報告】
2014034573.tif 000022
2014034573.tif 000023
2014034573.tif 000024
2014034573.tif 000025